(57)【要約】【課題】現像手段に保持された透明トナー又は白色トナーに異物が混入するのを抑制することができる画像形成装置を得る。【解決手段】第１画像成形手段１２Ａと他の領域を仕切るように設けられた仕切壁６０、６２は、第２画像形成手段１２Ｂ及びトナー除去装置３８の周囲を浮遊する有色トナークラウド等の異物が第１画像形成手段１２Ａの周りの領域に浸入するのを抑制する。つまり、第１画像形成手段１２Ａの周囲に浮遊する有色トナー等の異物が、他の領域と比較して少なくなる。これにより、現像装置２２Ｌに保持された透明トナー又は白色トナーに異物が混入するのを抑制することができる。【選択図】図１
2010145624.tif 000002
【特許請求の範囲】
【請求項１】
表面に透明トナー又は白色トナー用の画像に対応する静電潜像が形成される第１像保持体と、透明トナー又は白色トナーを保持し、前記第１像保持体に形成された静電潜像を該トナーで現像する第１現像手段と、を備える第１画像形成手段と、
前記第１画像形成手段に隣接して設けられ、表面に有色トナー画像に対応する静電潜像が形成される第２像保持体と、有色トナーを保持し、前記第２像保持体に形成された静電潜像を有色トナーで現像する第２現像手段と、を備える第２画像形成手段と、
前記第１画像形成手段及び前記第２画像形成手段の表面に形成された透明トナー又は白色トナー用の画像及び有色トナー画像を記録媒体に転写する転写手段と、
装置本体内に浮遊する異物が、前記第１画像形成手段の周りの領域に浸入するのを抑制する異物浸入抑制手段と、
を含む画像形成装置。
【請求項２】
前記異物浸入抑制手段は、前記第１像形成手段の周りの領域と他の領域を仕切る仕切壁である請求項１に記載の画像形成装置。
【請求項３】
前記異物浸入抑制手段は、前記第１画像形成手段の周りの空気の流れを制御して装置本体内に浮遊する異物が、前記第１画像形成手段の周りの領域に浸入して前記第１現像手段に保持された透明トナーに混入するのを防ぐ空気流制御装置である請求項１に記載の画像形成装置。
【請求項４】
前記空気流制御装置は、第１画像形成手段の周りの空気圧を前記第２画像形成手段の周りの空気圧より高くする請求項３に記載の画像形成装置。
【請求項５】
表面に透明トナー又は白色トナー用の画像に対応する静電潜像が形成される第１像保持体と、透明トナー又は白色トナーを保持し、前記第１像保持体に形成された静電潜像を該トナーで現像する第１現像手段と、を備える第１画像形成手段と、
前記第１画像形成手段に隣接して設けられ、表面に有色トナー画像に対応する静電潜像が形成される第２像保持体と、有色トナーを保持し、前記第２像保持体に形成された静電潜像を有色トナーで現像する第２現像手段と、を備える第２画像形成手段と、
前記第１画像形成手段、前記第２画像形成手段の順に、形成されたトナー画像が重ね合わさり転写される中間転写体と、
前記第１画像形成手段に対して前記中間転写体の回転方向上流側で、前記中間転写体を支持する支持部材と、
前記支持部材に対向配置され前記中間転写体表面を清掃する清掃部材と、
前記清掃部材と前記第１現像手段との間で、前記清掃部材から前記第１現像手段への空気流を遮蔽するための遮蔽部材と、
を含む画像形成装置。
【請求項６】
前記第１現像手段には、前記第１像保持体に前記トナーを供給する開口部が設けられ、
前記遮蔽部材は、前記第１像保持体の回転軸方向長さにおいて、前記清掃部材及び前記開口部よりも長い請求項５に記載の画像形成装置。
【発明の詳細な説明】
【技術分野】
【０００１】
本発明は、画像形成装置に関する。
【背景技術】
【０００２】
特許文献１には、透明トナーを備える現像器が記載されており、像保持体に形成された透明トナーに対応する静電潜像をこの透明トナーで現像するようになっている。
【０００３】
さらに、透明トナーに対応した静電潜像が形成される像保持体には、像保持体に付着した不要トナーを除去するトナー除去手段が設けられている。
【特許文献１】特開２００６−１７１１００号公報
【発明の開示】
【発明が解決しようとする課題】
【０００４】
本発明の目的は、現像手段に保持された透明トナー又は白色トナーに異物が混入するのを抑制することが課題である。
【課題を解決するための手段】
【０００５】
本発明の請求項１に係る画像形成装置は、表面に透明トナー又は白色トナー用の画像に対応する静電潜像が形成される第１像保持体と、透明トナー又は白色トナーを保持し、前記第１像保持体に形成された静電潜像を該トナーで現像する第１現像手段と、を備える第１画像形成手段と、前記第１画像形成手段に隣接して設けられ、表面に有色トナー画像に対応する静電潜像が形成される第２像保持体と、有色トナーを保持し、前記第２像保持体に形成された静電潜像を有色トナーで現像する第２現像手段と、を備える第２画像形成手段と、前記第１画像形成手段及び前記第２画像形成手段の表面に形成された透明トナー又は白色トナー用の画像及び有色トナー画像を記録媒体に転写する転写手段と、装置本体内に浮遊する異物が、前記第１画像形成手段の周りの領域に浸入するのを抑制する異物浸入抑制手段と、を含むことを特徴とする。
【０００６】
本発明の請求項２に係る画像形成装置は、請求項１に記載において、前記異物浸入抑制手段は、前記第１像形成手段の周りの領域と他の領域を仕切る仕切壁であることを特徴とする。
【０００７】
本発明の請求項３に係る画像形成装置は、請求項１に記載において、前記異物浸入抑制手段は、前記第１画像形成手段の周りの空気の流れを制御して装置本体内に浮遊する異物が、前記第１画像形成手段の周りの領域に浸入して前記第１現像手段に保持された透明トナーに混入するのを防ぐ空気流制御装置であることを特徴とする。
【０００８】
本発明の請求項４に係る画像形成装置は、請求項３に記載において、前記空気流制御装置は、第１画像形成手段の周りの空気圧を前記第２画像形成手段の周りの空気圧より高くすることを特徴とする。
【０００９】
本発明の請求項５に係る画像形成装置は、表面に透明トナー又は白色トナー用の画像に対応する静電潜像が形成される第１像保持体と、透明トナー又は白色トナーを保持し、前記第１像保持体に形成された静電潜像を該トナーで現像する第１現像手段と、を備える第１画像形成手段と、前記第１画像形成手段に隣接して設けられ、表面に有色トナー画像に対応する静電潜像が形成される第２像保持体と、有色トナーを保持し、前記第２像保持体に形成された静電潜像を有色トナーで現像する第２現像手段と、を備える第２画像形成手段と、前記第１画像形成手段、前記第２画像形成手段の順に、形成されたトナー画像が重ね合わさり転写される中間転写体と、前記第１画像形成手段に対して前記中間転写体の回転方向上流側で、前記中間転写体を支持する支持部材と、前記支持部材に対向配置され前記中間転写体表面を清掃する清掃部材と、前記清掃部材と前記第１現像手段との間で、前記清掃部材から前記第１現像手段への空気流を遮蔽するための遮蔽部材と、を含むことを特徴とする。
【００１０】
本発明の請求項６に係る画像形成装置は、請求項５に記載において、前記第１現像手段には、前記第１像保持体に前記トナーを供給する開口部が設けられ、前記遮蔽部材は、前記第１像保持体の回転軸方向長さにおいて、前記清掃部材及び前記開口部よりも長いことを特徴とする。
【発明の効果】
【００１１】
本発明の請求項１の画像形成装置によれば、異物浸入抑制手段を有さない構成と比して、第１画像形成手段の周りの領域に異物が浸入するのを抑制することで、第１現像手段に保持された透明トナー又は白色トナーに異物が混入するのを抑制することができる。
【００１２】
本発明の請求項２の画像形成装置によれば、仕切壁を有さない構成と比して、簡易な構成で第１現像手段に保持された透明トナー又は白色トナーに異物が混入するのを抑制することができる。
【００１３】
本発明の請求項３の画像形成装置によれば、空気流制御装置を有さない場合と比して、装置本体内に浮遊する異物が、第１現像手段に保持された透明トナー又は白色トナーに混入するのを空気の流れを制御して抑制することができる。
【００１４】
本発明の請求項４の画像形成装置によれば、空気流制御装置を有さない場合と比して、装置本体内に浮遊する異物が、第１現像手段に保持された透明トナー又は白色トナーに混入するのを空気圧を制御して容易に抑制することができる。
【００１５】
本発明の請求項５の画像形成装置によれば、遮蔽部材を有さない構成と比して、清掃部材が中間転写体を清掃することで生じた空気中の異物が第１現像手段に保持された透明トナー又は白色トナーに混入するのを抑制することができる。
【００１６】
本発明の請求項６の画像形成装置によれば、本構成を有さない場合と比して、効果的に第１現像手段に保持された透明トナー又は白色トナーに異物が混入するのを抑制することができる。
【発明を実施するための最良の形態】
【００１７】
本発明の第１実施形態に係る画像形成装置を図１、図２に従って説明する。
【００１８】
（全体構成）
図１に示されるように、画像形成装置１０は、入力された画像データに基づく各色のトナー像を、後述する無端ベルト状の中間転写ベルト２４に転写し、カラーの画像を形成する５連タンデム方式の画像形成手段１２を有している。
【００１９】
画像形成手段１２は、記録媒体としのシート部材Ｐの搬送方向上流側から順に透明又は白色（Ｌ）、イエロー（Ｙ）、マゼンタ（Ｍ）、シアン（Ｃ）、ブラック（Ｋ）の各色の画像を出力する画像形成ユニット１４Ｌ、１４Ｙ、１４Ｍ、１４Ｃ、１４Ｋを有しており、透明又は白色（Ｌ）の画像形成ユニット１４Ｌが、本発明に係る第１画像形成手段１２Ａに相当し、イエロー（Ｙ）、マゼンタ（Ｍ）、シアン（Ｃ）、ブラック（Ｋ）の各画像形成ユニット１４Ｙ〜１４Ｋが、本発明に係る第２画像形成手段１２Ｂに相当している。
【００２０】
また、各画像形成ユニット１４Ｌ〜１４Ｋは、中間転写ベルト２４の移動方向（矢印Ｂで示す）に沿って、並設されている。そして、各画像形成ユニット１４Ｌ〜１４Ｋは、像保持体としての感光体ドラム１６Ｌ〜１６Ｋを有しており、この感光体ドラム１６Ｌ〜１６Ｋは、図示の矢印Ａ方向（時計回り方向）へ所定のプロセススピードで回転駆動するようになっている。なお、感光体ドラム１６Ｌが、本発明に係る第１像保持体に相当し、感光体ドラム１６Ｙ〜１６Ｋが、本発明に係る第２像保持体に相当している。
【００２１】
さらに、各感光体ドラム１６Ｌ〜１６Ｋの周囲には、その回転方向上流側から順に、感光体ドラム１６の表面（周面）を所定の電位に一様に帯電する帯電装置としての帯電器１８Ｌ〜１８Ｋと、一様に帯電された感光体ドラム１６Ｌ〜１６Ｋの表面（周面）に、画像データ（画像情報）に基づくレーザー光線を照射し、露光によって静電潜像を形成する露光装置２０Ｌ〜２０Ｋと、帯電したトナー（現像剤）を静電潜像に転移させてトナー像とて現像する現像装置２２Ｌ〜２２Ｋと、感光体ドラム１６Ｌ〜１６Ｋに接触する経路で周回可能に張架された無端ベルト状の中間転写ベルト２４と、感光体ドラム１６Ｌ〜１６Ｋ上に形成されたトナー像を中間転写ベルト２４へ転写する一次転写ロール２６Ｌ〜２６Ｋと、一次転写後に感光体ドラム１６Ｌ〜１６Ｋの表面に残留した転写残トナーを除去するクリーニング装置２８Ｌ〜２８Ｋと、が配置されている。
【００２２】
なお、現像装置２２Ｌが、本発明に係る第１現像手段に相当し、現像装置２２Ｙ〜２２Ｋが、本発明に係る第２現像手段に相当している。さらに、顔料を含まない透明トナー又は白色トナーを保持する現像装置２２Ｌ及び第１画像形成手段１２Ａについては、詳細を後述する。
【００２３】
また、各一次転写ロール２６Ｌ〜２６Ｋは、中間転写ベルト２４の内側に配置され、各感光体ドラム１６Ｌ〜１６Ｋにそれぞれ対向した位置に設けられている。そして、一次転写ロール２６Ｌ〜２６Ｋによる感光体ドラム１６Ｌ〜１６Ｋと中間転写ベルト２４との接触部が一次転写部（一次転写位置）Ｔ１とされている。
【００２４】
さらに、各一次転写ロール２６Ｌ〜２６Ｋには、一次転写バイアスを印加するバイアス電源（図示省略）がそれぞれ接続されている。更に、各バイアス電源は、制御手段としての制御部３０に制御されて、各一次転写ロール２６Ｌ〜２６Ｋに印加する一次転写バイアスが変更可能になっている。
【００２５】
一方、中間転写体としての中間転写ベルト２４は、一次転写ロール２６Ｌ〜２６Ｋと、図示しない駆動源により回転駆動される駆動ロール３２と、中間転写ベルト２４の張力を調整する張力付与ロール３３と、後述する二次転写部（二次転写位置）Ｔ２に配置された支持ロール３４と、従動ロール３５と、に巻き掛けられており、感光体ドラム１６の回転に同期して矢印Ｂ方向に回転移動（周動）するようになっている。
【００２６】
また、中間転写ベルト２４を挟んで支持ロール３４と対向する位置には、搬送手段としての搬送機構４２によって搬送されるシート部材Ｐ上に、中間転写ベルト２４上のトナー像を転写する転写手段としての二次転写ロール３６が設けられている。この二次転写ロール３６には、第１搬送ベルト５０が巻き掛けられており、この第１搬送ベルト５０を介して二次転写ロール３６と中間転写ベルト２４との接触部が二次転写部（二次転写位置）Ｔ２とされている。
【００２７】
さらに、この画像形成装置１０は、二次転写ロール３６によってシート部材Ｐ上にトナー像を転写した後に、中間転写ベルト２４上に残留する転写残トナーを除去する清掃部材としてのトナー除去装置３８と、二次転写ロール３６によってシート部材Ｐ上に転写されたトナー像を定着する定着手段としての定着装置４０を備えている。
【００２８】
また、前述した搬送機構４２は、給紙部４４に収容されたシート部材Ｐを１枚ずつ搬送するピックアップロール４６と、シート部材Ｐの搬送経路に複数（図示のものは４個）設けられた一対の搬送ロール４７と、二次転写部（二次転写位置）Ｔ２へシート部材Ｐを供給するためのガイド部材４８と、二次転写ロール３６とガイドロール５２とに巻き掛けられた第１搬送ベルト５０と、第１搬送ベルト５０よりもシート部材Ｐの搬送経路の下流側に配置され、ガイドロール５４、５６に巻き掛けられた第２搬送ベルト５８と、定着装置４０の下流側に設けられた排紙部（図示省略）等から構成されている。
【００２９】
この搬送機構４２により、給紙部４４に収容されたシート部材Ｐが、二次転写ロール３６（第１搬送ベルト５０）と支持ロール３４とが中間転写ベルト２４を挟んで対向する二次転写部（二次転写位置）Ｔ２へ搬送され、二次転写部（二次転写位置）Ｔ２から定着装置４０へ搬送され、定着装置４０から排紙部へ搬送される構成である。
【００３０】
以上のような構成の画像形成装置１０は、次のように動作してカラーの画像を形成する。なお、各色の画像形成ユニット１４Ｌ〜１４Ｋは、略同一の構成を有しているため、ここでは画像形成ユニット１４Ｙにより、イエロートナー像を形成する動作について説明する。また、イエロートナー像を中間転写ベルト２４に転写する前に、既に画像形成ユニット１４Ｌにより、透明トナー像又は白色トナー像が中間転写ベルト２４に転写されている。
【００３１】
まず、帯電器１８Ｙによって感光体ドラム１６Ｙの表面が一様に帯電される。一様に帯電された感光体ドラム１６Ｙの表面には、制御部３０から送られて来るイエロー用の画像データに従って、露光装置２０Ｙによりレーザー光線が照射される。すなわち、感光体ドラム１６Ｙの感光層にイエロー印字パターンの静電潜像が形成される。
【００３２】
こうして、感光体ドラム１６Ｙ上に形成された静電潜像は、感光体ドラム１６Ｙの回転により所定の現像位置まで搬送される。そして、この現像位置で、感光体ドラム１６Ｙ上の静電潜像が、現像装置２２Ｙによって可視像（トナー像）化される。その後、感光体ドラム１６Ｙは、引き続き回転し、その表面に現像されたトナー像が、一次転写部（一次転写位置）Ｔ１へ搬送される。
【００３３】
感光体ドラム１６Ｙの表面のイエロートナー像が一次転写部（一次転写位置）Ｔ１へ搬送されると、一次転写ロール２６Ｙに所定の一次転写バイアスが印加され、感光体ドラム１６Ｙの表面のトナー像が中間転写ベルト２４の表面に転写される。
【００３４】
また、感光体ドラム１６Ｙの表面の転写残トナーは、クリーニング装置２８Ｙによりクリーニングされる。また、画像形成ユニット１４Ｌ、１４Ｍ〜１４Ｋの一次転写ロール２６Ｌ、２６Ｍ〜２６Ｋに印加される一次転写バイアスも上記と同様に制御されている。こうして、画像形成ユニット１４Ｙにてイエロートナー像が転写された中間転写ベルト２４は、残りの色の画像形成ユニット１４Ｍ〜１４Ｋへ順次搬送され、各色のトナー像が重ねられるようにして転写される（多重転写される）。
【００３５】
各画像形成ユニット１４Ｌ〜１４Ｋを通過して全ての色のトナー像が多重転写された中間転写ベルト２４は、図示の矢印Ｂ方向に周動搬送され、中間転写ベルト２４の内面（裏面）に接する支持ロール３４と、中間転写ベルト２４の像保持面側に配置された二次転写ロール３６（第１搬送ベルト５０）とで構成された二次転写部（二次転写位置）Ｔ２へ至る。
【００３６】
一方、シート部材Ｐが、搬送機構４２によって二次転写ロール３６（第１搬送ベルト５０）と中間転写ベルト２４との間に所定のタイミングで給紙され、所定の二次転写バイアスが二次転写ロール３６に印加される。これにより、中間転写ベルト２４からシート部材Ｐに向かう静電気力がトナー像に作用し、中間転写ベルト２４の表面のトナー像がシート部材Ｐの表面に転写される。
【００３７】
（要部構成）
次に、第１画像形成手段１２Ａ及び現像装置２２Ｌについて説明する。
【００３８】
図１に示されるように、第１画像形成手段１２Ａと第２画像形成手段１２Ｂとの間には、第１画像形成手段１２Ａの周りと他の領域を仕切る板状の仕切壁６０が設けられている。
【００３９】
詳細には、仕切壁６０の基端部は、中間転写ベルト２４と隙間を空けて配置されており、仕切壁６０の先端部は鉛直方向上方に延び、第２画像形成手段１２Ｂの周囲を浮遊する有色トナークラウド等の異物が第１画像形成手段１２Ａの周りの領域に侵入するのを抑制するようになっている。
【００４０】
さらに、第１画像形成手段１２Ａとトナー除去装置３８との間には、板状の仕切壁６２が設けられている。
【００４１】
詳細には、現像装置２２Ｌは、透明トナー又は白色トナーを保持する箱状の現像剤保持部材６６と、現像剤保持部材６６に保持された透明トナー又は白色トナーを回転しながら感光体ドラム１６Ｌの表面に移動させると共に、現像剤保持部材６６の開口部６６Ａから感光体ドラム１６Ｌ側へ突出する現像ロール６８を含んで構成されている。
【００４２】
そして、仕切壁６２の基端部は、中間転写ベルト２４と隙間を空けて配置されており、仕切壁６２の先端部は鉛直方向斜め上方に延びている。さらに、図２に示されるように、仕切壁６２は、感光体ドラム１６Ｌの回転軸方向長さにおいて（図中矢印Ｄ方向）、トナー除去装置３８及び現像剤保持部材６６の開口部６６Ａよりも長くされている。
【００４３】
この構成により、トナー除去装置３８によって中間転写ベルト２４から掻き取られ、トナー除去装置３８の周囲を浮遊する有色トナークラウド等の異物が第１画像形成手段１２Ａの周りの領域に侵入するのを抑制するようになっている。
【００４４】
一方、現像剤保持部材６６の内側（保持される透明トナー又は白色トナーが接する側）や、透明トナー又は白色トナーが現像ロール６８に至るまでに接する部材（図示省略）は、透明な樹脂材料（例えば、アクリル樹脂やポリカーボネート樹脂等）で形成されている。
【００４５】
（作用）
第１画像成形手段１２Ａと他の領域を仕切るように設けられた仕切壁６０、６２は、第２画像形成手段１２Ｂ及びトナー除去装置３８の周囲を浮遊する有色トナークラウド等の異物が第１画像形成手段１２Ａの周りの領域に浸入するのを抑制する。
【００４６】
つまり、第１画像形成手段１２Ａの周囲に浮遊する有色トナー等の異物が、他の領域と比較して少なくなる。
【００４７】
また、現像剤保持部材６６の内側（保持される透明トナー又は白色トナーが接する側）や、透明トナー又は白色トナーが現像ロール６８に至るまでに接する部材（図示省略）は、透明な樹脂材料とされている。現像剤に含まれるキャリアと透明樹脂材料で形成された部材とが擦れて、この部材表面の摩耗粉が透明トナー又は白色トナーに混入することが考えられる。しかし、この部材は透明樹脂材料で形成されているため、透明トナー又は白色トナーが着色されることはない。
【００４８】
なお、上記実施形態では、特に言及しなかったが、画像形成装置１０に用いられる部品をリユースする場合、有色トナーで用いたパーツを透明トナー又は白色トナーに用いるパーツにリユースせず、透明トナー又は白色トナーで用いたパーツを透明トナー又は白色トナーに用いるパーツにリユースすることで、現像装置に保持される透明トナー又は白色トナーに有色トナー等の異物が混入するのが抑制される。
【００４９】
次ぎに、本発明の画像形成装置７０の第２実施形態を図３に従って説明する。
【００５０】
なお、第１実施形態と同一部材については、同一符号を付してその説明を省略する。
【００５１】
図３に示されるように、本第２実施形態では、第１実施形態のように仕切壁は設けられておらず、それに代えて、空気流制御装置としての第１吸込ファン７２及び第２吸込ファン７４が設けられている。
【００５２】
詳細には、第１吸込ファン７２は、第１画像形成手段１２Ａの周りの領域の空気を外部へ吸い出すように、感光体ドラム１６Ｌの上方に配置されており、第２吸込ファン７４は、第２画像形成手段１２Ｂの周りの領域の空気を外部へ吸い出すように、感光体ドラム１６Ｃ、１６Ｍの上方に配置されている。なお、第１吸込ファン７２及び第２吸込ファン７４のファン回転数等については、第１画像形成手段１２Ａの周囲の空気、及び第２画像形成手段１２Ｂの周囲の空気を外部へ吸い出すことができるように適宜決められている。
【００５３】
このように、第１吸込ファン７２及び第２吸込ファン７４を設けることで、第１画像形成手段１２Ａの周囲を流れる空気と、第２画像形成手段１２Ｂの周囲を流れる空気が分離され、第２画像形成手段１２Ｂの周囲を浮遊する有色トナークラウド等の異物が第１画像形成手段１２Ａの周りの領域に侵入するのを抑制するようになっている。
【００５４】
次ぎに、本発明の画像形成装置８０の第３実施形態を図４に従って説明する。
【００５５】
なお、第１実施形態と同一部材については、同一符号を付してその説明を省略する。
【００５６】
図４に示されるように、本第３実施形態では、第１実施形態のように仕切壁は設けられておらず、それに代えて、空気流制御装置としての第１換気ファン８２及び第２換気ファン８４が設けられている。
【００５７】
詳細には、第１換気ファン８２は感光体ドラム１６Ｌの上方に配置されており、第２換気ファン８４は感光体ドラム１６Ｃ、１６Ｍの上方に配置されている。そして、第１換気ファン８２及び第２換気ファン８４を回転駆動させることで第１画像形成手段１２Ａの周りの空気圧が、第２画像形成手段１２Ｂの周りの空気圧より高くなるようになっている。
【００５８】
これにより、第１画像形成手段１２Ａの周り空気が、第２画像形成手段１２Ｂ側に流れるようになり、第２画像形成手段１２Ｂの周囲を浮遊する有色トナークラウド等の異物が第１画像形成手段１２Ａの周りの領域に侵入するのを抑制するようになっている。
【００５９】
次ぎに、本発明の画像形成装置９０の第４実施形態を図５に従って説明する。
【００６０】
なお、第１実施形態と同一部材については、同一符号を付してその説明を省略する。
【００６１】
図５に示されるように、本第４実施形態では、第１実施形態で説明した仕切壁６０、仕切壁６２と、第２実施形態で説明した第１吸込ファン７２及び第２吸込ファン７４が設けられている。
【００６２】
このように、第１吸込ファン７２及び第２吸込ファン７４を設けることで、第１画像形成手段１２Ａの周囲を流れる空気と、第２画像形成手段１２Ｂの周囲を流れる空気が、第１吸込ファン７２、第２吸込ファン７４及び仕切壁６０によって分離され、第２画像形成手段１２Ｂの周囲を浮遊する有色トナークラウド等の異物が第１画像形成手段１２Ａの周りの領域に侵入するのを確実に抑制するようになっている。
【図面の簡単な説明】
【００６３】
【図１】本発明の第１実施形態に係る画像形成装置を示した概略構成図である。
【図２】本発明の第１実施形態に係る画像形成装置を示した平面図である。
【図３】本発明の第２実施形態に係る画像形成装置を示した概略構成図である。
【図４】本発明の第３実施形態に係る画像形成装置を示した概略構成図である。
【図５】本発明の第４実施形態に係る画像形成装置を示した概略構成図である。
【符号の説明】
【００６４】
１０          画像形成装置
１２Ａ        第１画像形成手段
１２Ｂ        第２画像形成手段
１６Ｌ        感光体ドラム（第１像保持体）
１６Ｙ        感光体ドラム（第２像保持体）
１６Ｍ        感光体ドラム（第２像保持体）
１６Ｃ        感光体ドラム（第２像保持体）
１６Ｋ        感光体ドラム（第２像保持体）
２２Ｌ        現像装置（第１現像手段）
２２Ｙ        現像装置（第２現像手段）
２２Ｍ        現像装置（第２現像手段）
２２Ｃ        現像装置（第２現像手段）
２２Ｋ        現像装置（第２現像手段）
２４          中間転写ベルト（転写手段、中間転写体）
２６          一次転写ロール（転写手段）
３５          従動ロール（支持部材）
３６          二次転写ロール（転写手段）
３８          トナー除去装置（清掃部材）
６０          仕切壁
６２          仕切壁（仕切壁、遮蔽部材）
６６Ａ        開口部
７０          画像形成装置
７２          第１吸込ファン
７４          第２吸込ファン
８０          画像形成装置
８２          第１換気ファン
８４          第２換気ファン
９０          画像形成装置
【図１】
2010145624.tif 000003
【図２】
2010145624.tif 000004
【図３】
2010145624.tif 000005
【図４】
2010145624.tif 000006
【図５】
2010145624.tif 000007